(57)【要約】      （修正有）【課題】ＬＥＤが発する熱を迅速に排除できる構造を採用し、長寿命化を図ったＬＥＤ照明装置を提供する。【解決手段】ＬＥＤ照明装置は、上蓋１０、ＬＥＤモジュール２０、下蓋３０及び二つのエンドキャップ４０を包含し、上蓋と下蓋及びエンドキャップの結合により、ＬＥＤモジュールが被覆され、並びにＬＥＤモジュールが上蓋１０の底面に１０ｂネジ止めされ、且つ下蓋３０のＬＥＤモジュールに対応する部分に照明孔３１が開設され、照明に影響を与えずにＬＥＤモジュールの防護性を高める効果を達成する。【選択図】図２
0003157515.tif 000002
【実用新案登録請求の範囲】
【請求項１】
ＬＥＤ照明装置において、
上面と底面を具え、該上面に複数の放熱孔が形成されている上蓋と、
該上蓋の該底面にネジ止めされたＬＥＤモジュールと、
該上蓋の底面を閉じて、該ＬＥＤモジュールを被覆し、且つ該ＬＥＤモジュールに対応する位置に照明孔が設けられた下蓋と、
該上蓋と該下蓋の両端に嵌合されたエンドキャップと、
を包含したことを特徴とする、ＬＥＤ照明装置。
【請求項２】
請求項１記載のＬＥＤ照明装置において、少なくとも二つのブラケットを包含し、各ブラケットは第１固定部と第２固定部を具え、並びに該第１固定部を介して該上蓋の底面にネジ止めされ、該第２固定部を介して該ＬＥＤモジュールにネジ止めされることを特徴とする、ＬＥＤ照明装置。
【請求項３】
請求項１記載のＬＥＤ照明装置において、該照明孔を被覆する拡散片を更に包含したことを特徴とする、ＬＥＤ照明装置。
【請求項４】
請求項１記載のＬＥＤ照明装置において、変圧素子が該上蓋の底面に固定され、該ＬＥＤモジュールと電気的に接続されたことを特徴とする、ＬＥＤ照明装置。
【請求項５】
請求項１記載のＬＥＤ照明装置において、該上蓋の両端に第１延伸部が設けられ、該下蓋の両端に第２延伸部が設けられ、該エンドキャップが該上蓋と該下蓋の前端と後端の該第１延伸部と該第２延伸部に嵌合されることで、該上蓋と該下蓋が固定されたことを特徴とする、ＬＥＤ照明装置。
【請求項６】
請求項１記載のＬＥＤ照明装置において、これらエンドキャップが該上蓋と該下蓋が結合された後の円弧曲面形状に対応する形状を有することを特徴とする、ＬＥＤ照明装置。
【考案の詳細な説明】
【技術分野】
【０００１】
本考案は照明装置に係り、特に、ＬＥＤを応用した照明装置に関する。
【背景技術】
【０００２】
日常生活において、照明設備は古くより不可欠の重要な設備であり、既存の照明設備の大半は電球或いは灯管を主要な光源としており、これらの灯管或いは電球で比較的一般的であるのは、蛍光灯、白熱灯、ハロゲン灯管、或いはハロゲン電球である。そのうち、蛍光灯は消費電力及び寿命の点で遥かに白熱電球より優れており、且つ蛍光灯は発光均一性もまた比較的良好であるため、比較的広く使用されている。
【０００３】
以下に周知の一種の蛍光灯照明設備について説明する。図１を参照されたい。図１は周知の蛍光灯照明設備の構造分解図であり、蛍光灯管１００とランプシート２００を包含する。そのうち、蛍光灯管１００は灯管本体１１０と一対の金属端部１２０を具え、金属端部１２０にはそれぞれ一対の電極コネクタ１３０が設けられている。ランプシート２００はランプシート本体２１０、一対の電極シート２２０及びスタータ２３０で構成され、上述の電極シート２２０はランプシート本体２１０の両端部に設置され、並びに一対の電極挿入孔２４０を具えている。実際の使用時には、蛍光灯管１００は金属端部１２０の電極コネクタ１３０がランプシート２００の電極挿入孔２４０に挿入されることにより、電気的接続を達成すると共にスタータ２３０により灯管本体１１０を点灯させる。しかし、蛍光灯管１００の発光原理は電極から放出される電子と蛍光灯管１００内の粒子が衝突し、これにより紫外線を発生して灯管内に塗布された蛍光粉を励起させて白色光を発生させることにあり、その蛍光灯管１００内に塗布された蛍光粉は通常汚染性の重金属元素（例えば：水銀）を含有し、容易に回収再利用できないのみならず、環境の汚染を形成しやすく、これにより如何に環境をより保護する方式を使用して照明設備を製造し、並びに環境汚染を減らすかが、各メーカーの解決しようとする共通の問題と認識となっている。
【０００４】
近年、半導体テクノロジーの勃興発展に伴い、ＬＥＤの製造技術も日々成熟し、現在、ＬＥＤは照明の光源として使用できるほどになり、ＬＥＤは、その節電、小体積、長い使用寿命、高い安定性、残像性が低く、高い点灯応答等の特性により、蛍光灯管に代わるものとして市場に受け入れられており、既に伝統的な電球或いは灯管にとって代わる趨勢にある。しかし、ＬＥＤモジュールは電子部品に属し、その使用寿命は作業温度に影響され、これにより、いかにＬＥＤモジュールの発生する熱量を迅速に排除するか（いわゆる放熱）し、ＬＥＤモジュールを防護して高温によるＬＥＤモジュールの使用寿命の縮減を防止するかがことのほか重要であり、伝統的に蛍光灯に応用されているランプカバーはＬＥＤモジュールに対しては使用できず、ＬＥＤモジュールに対しては良好な防護を提供できない。
【考案の概要】
【考案が解決しようとする課題】
【０００５】
総合すると、従来の技術において、ずっとＬＥＤランプの防護性不良の問題が存在し、このため改良した技術手段によりこの問題を解決することが必要である。
【課題を解決するための手段】
【０００６】
従来の技術に存在する問題を鑑み、本考案は一種の、ＬＥＤ照明装置を提供する。
【０００７】
本考案のＬＥＤ照明装置は、上蓋、ＬＥＤモジュール、下蓋及び二つのエンドキャップを包含する。そのうち、該上蓋は上面と底面を具え、該上面に複数の放熱孔が形成されている。該ＬＥＤモジュールは該上蓋の該底面にネジ止めされる。該下蓋は該上蓋の底面を閉じて、該ＬＥＤモジュールを被覆し、且つ該下蓋の、該ＬＥＤモジュールに対応する位置に照明孔が設けられる。これらのエンドキャップはそれぞれ該上蓋と該下蓋の両端に嵌合される。
【考案の効果】
【０００８】
本考案に記載のＬＥＤ照明装置は上述のとおりであり、従来の技術との間の差異は、本考案のＬＥＤ照明装置は、上蓋、ＬＥＤモジュール、下蓋及び二つのエンドキャップを包含し、上蓋と下蓋及びエンドキャップの結合により、ＬＥＤモジュールが被覆され、並びにＬＥＤモジュールが上蓋の底面にネジ止めされ、且つ下蓋のＬＥＤモジュールに対応する部分に照明孔が設けられる。
【０００９】
上述の技術手段により、本考案は照明に影響を与えずにＬＥＤモジュールの防護性を高める効果を達成している。
【図面の簡単な説明】
【００１０】
【図１】周知の蛍光灯照明設備の構造分解図である。
【図２】本考案のＬＥＤ照明装置の立体分解図である。
【図３】本考案のＬＥＤ照明装置の組み合わせ表示図である。
【図４】本考案のＬＥＤ照明装置の組み合わせ表示図である。
【図５】本考案のＬＥＤ照明装置の断面図である。
【考案を実施するための形態】
【００１１】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１２】
図２は本考案のＬＥＤ照明装置の立体分解図であり、上蓋１０、ＬＥＤモジュール２０、下蓋３０及びエンドキャップ４０を包含する。該上蓋１０は上面１０ａと底面１０ｂを具え、且つ上面１０ａに複数の放熱孔１１が形成されている。該上蓋１０の材料はアルミニウム、或いは合金（例えばアルミニウムマグネシウム合金）のいずれかとされ得て、実際の実施上、この上蓋１０は円弧曲面の形状に形成可能で、且つそれに開設される放熱孔１１は等距離に平行な方式で配列可能で、空気の対流を促進して放熱効果を増す。且つ上蓋１０の表面に感熱染料が塗布されて、上蓋１０の温度差により異なる色を表示し、これにより使用者に高温状況を表示して上蓋１０に接触するのを防止する。例えば、温度が高い時、感熱染料が赤色を表示し、温度が低い時に感熱染料が青色を表示し、使用者は感熱染料が赤色の状況で、上蓋１０に接触して火傷するのを回避できる。このほか、上蓋１０の内側に変圧素子固定部（図示せず）、例えばネジ孔が設けられ、変圧素子６０を固定するのに用いられ、この変圧素子６０はＬＥＤモジュール２０と電気的に接続され、ＬＥＤモジュール２０の必要とする電源を提供する。
【００１３】
ＬＥＤモジュール２０は上蓋１０の底面１０ｂにネジ止めされて照明を提供し、そのネジ止め方式は、複数のブラケット５０を介して達成され、各ブラケット５０はいずれも第１固定部５１と第２固定部５２を具え、これにより第１固定部５１が上蓋１０の底面１０ｂにネジ止めされ、及び第２固定部５２がＬＥＤモジュール２０とネジ止めされ、こうして、ＬＥＤモジュール２０が上蓋１０の底面１０ｂにネジ止めされる。特に説明すべきことは、ブラケット５０は高い熱伝導性を具えた材質、たとえば銅、アルミニウムとされ、迅速に内側に設けられるＬＥＤランプのＬＥＤモジュール２０の発生する熱を上蓋１０に伝導して放熱効率をアップする。
【００１４】
このほか、上述のＬＥＤモジュール２０の上端に一組の放熱フィン２１が設けられ、この放熱フィン２１はアルミ押出の方式で製造されて、ＬＥＤモジュール２０の放熱面積を増す。この状況で、ＬＥＤモジュール２０と上蓋１０のネジ止め方式は、第１固定部５１が上蓋１０の底面１０ｂにネジ止めされ、続いてＬＥＤモジュール２０上端に固定された放熱フィン２１が各ブラケット５０の第２固定部５２の間にネジ止めされる。特に説明すべきことは、本考案はこのネジ止め順序に限定されるわけではなく、すなわち、実際の実施においては、ＬＥＤモジュール２０とブラケット５０の第２固定部５２がネジ止めされた後に、さらにこのブラケット５０の第１固定部５１が上蓋１０の底面１０ｂにネジ止めされ得る。
【００１５】
下蓋３０は上蓋１０の底面１０ｂに閉じ合わされ、これによりＬＥＤモジュール２０が被覆され、且つ下蓋３０のＬＥＤモジュール２０に対応する位置に照明孔３１が設けられる。実際の実施上は、下蓋３０の底面と上蓋１０は同様に円弧曲面の形状に形成可能で、その差異は、下蓋３０の湾曲円弧は上蓋１０の湾曲円弧よりやや大きく、且つ両者の湾曲方向は異なる。下蓋３０が上蓋１０の底面１０ｂを閉じる方式は、下蓋３０の両側が上蓋１０の底面１０ｂの両側に結合されることで、上蓋１０と下蓋３０の閉じ合わせが実現される。特に説明すべきことは、本考案はこの上蓋１０と下蓋３０の閉じ合わせの方式に限定されるわけではなく、閉じ合わせを達成できる方式であれば、いずれも本考案の範疇に属する。
【００１６】
エンドキャップ４０は上蓋１０と下蓋３０の両端に嵌合される。実際の実施時には、エンドキャップ４０は上蓋１０と下蓋３０が閉じ合わされた後の円弧曲面形状に対応する円弧曲面形状を有する。このほか、下蓋３０及びエンドキャップ４０は加圧加工或いは熱可塑性ポリマー及び炭酸カルシウム混合後に射出成形する方式により形成され得る。そのうち、熱可塑性ポリマーはポリカーボネート、ポリスチレン或いはポリメチルメタクリレート等、ケーシングに常用される材料で形成される。実際の実施上は、上蓋１０の互いに対向する両端に第１延伸部１３が設けられ、且つ下蓋３０の互いに対向する両端に第２延伸部３２が設けられ、これにより、エンドキャップ４０は上蓋１０及び下蓋３０の前端と後端の第１延伸部１３と第２延伸部３２に嵌合され、これにより上蓋１０と下蓋３０を固定する。
【００１７】
このほか、本考案のＬＥＤ照明装置は更に拡散片７０を包含し得る。この拡散片７０は透光性材料で形成されて下蓋３０の照明孔３１を被覆し、並びに下蓋３０の内側に固定されてＬＥＤモジュール２０の発生する眩光を除去する。該拡散片７０はプラスチック、ガラス或いはアクリル等の材料で形成される。
【００１８】
このほか、実際の実施においては、ブラケット５０は第１固定部５１と第２固定部５２を具えるほか、吊り孔５３が開設され、前述の上蓋１０の吊り孔５３に対応する位置に孔１２が開設され、天井のチェーン（図示せず）がこの孔１２に通されてブラケット５０の吊り孔５３と結合され、こうして本考案のＬＥＤ照明装置が天井に吊り下げられる。
【００１９】
図３及び図４は本考案のＬＥＤ照明装置の組み合わせ表示図である。まず、図３中に明かであるように、本考案のＬＥＤ照明装置は組み合わせ完成後に、表面に円弧曲面を具えた中空直方体のＬＥＤ照明装置を形成する。このＬＥＤ照明装置は上蓋１０の放熱孔１１により空気の対流を増加し、並びに灰塵がＬＥＤモジュール２０の上端に堆積してＬＥＤモジュール２０の放熱効果に影響が生じるのを防止する（図２参照）。このほか、天井のチェーン（図示せず）が上蓋１０に開設された孔１２を通り、ブラケット５０の吊り孔５３に結合され（図２参照）、ＬＥＤ照明装置が天井に吊り下げられる。続いて、図４に示されるように、ＬＥＤモジュール２０が通電後に発生する光線が照明孔３１を被覆する拡散片７０を通して照明を提供する。
【００２０】
続いて、図５は本考案のＬＥＤ照明装置の断面図であり、上蓋１０、ＬＥＤモジュール２０、放熱フィン２１、下蓋３０、照明孔３１、ブラケット５０、第１固定部５１、第２固定部５２、変圧素子６０及び拡散片７０を包含する。前述したように、ＬＥＤモジュール２０はブラケット５０を介して上蓋１０の底面１０ｂにネジ止めされ、そのネジ止め方式は、まずブラケット５０の第１固定部５１が上蓋１０の底面１０ｂにネジ止めされ、続いて、ＬＥＤモジュール２０がブラケット５０の第２固定部５２にネジ止めされる。ＬＥＤモジュール２０の上端に放熱フィン２１が設けられている時は、直接放熱フィン２１が第２固定部５２とネジ止めされる。こうして、ＬＥＤモジュール２０がブラケット５０を介して上蓋１０の底面１０ｂにネジ止めされる。このほか、上蓋１０の内側に変圧素子固定部（たとえばネジ孔）が設けられて、変圧素子６０を固定するのに用いられ、この変圧素子６０とＬＥＤモジュール２０は電気的に接続され、並びにＬＥＤモジュール２０内に設けられたＬＥＤランプの必要とする電源を提供する。特に説明を要するのは、ＬＥＤモジュール２０内に設けられたＬＥＤランプは、その必要とする電源が直流電源線（図示せず）により提供されてもよく、本考案はＬＥＤモジュール２０の必要とする電源の提供方式について限定しない。
【００２１】
総合すると、本考案と従来の技術との間の差異は、本考案のＬＥＤ照明装置は、上蓋１０、下蓋３０及びエンドキャップ４０の結合により、ＬＥＤモジュール２０が被覆され、並びにＬＥＤモジュール２０が上蓋１０の底面１０ｂにネジ止めされ、且つ下蓋３０のＬＥＤモジュール２０に対応する部分に照明孔３１が設けられたことにあり、この技術手段により、本考案は照明に影響を与えずにＬＥＤモジュール２０の防護性を高める効果を達成している。
【００２２】
本考案は前述の実施例を以て開示されたが、それは本考案を限定するためのものではなく、この技術に通じた者が、本考案の精神と範囲内においてなし得る変更或いは修飾は、いずれも本考案の権利請求の範囲に属するものとする。
【符号の説明】
【００２３】
１０  上蓋
１０ａ  上面
１０ｂ  底面
１１  放熱孔
１２  孔
１３  第１延伸部
２０  ＬＥＤモジュール
２１  放熱フィン
３０  下蓋
３１  照明孔
３２  第２延伸部
４０  エンドキャップ
５０  ブラケット
５１  第１固定部
５２  第２固定部
５３  吊り孔
６０  変圧素子
７０  拡散片
１００  蛍光灯管
１１０  灯管本体
１２０  金属端部
１３０  電極コネクタ
２００  ランプシート
２１０  ランプシート本体
２２０  電極シート
２３０  スタータ
２４０  電極挿入孔
【図１】
0003157515.tif 000003
【図２】
0003157515.tif 000004
【図３】
0003157515.tif 000005
【図４】
0003157515.tif 000006
【図５】
0003157515.tif 000007